(57)【要約】      （修正有）【課題】車のサイドガラスを開けたまま使え、脱着も容易な日影も作れる日よけ具を提供する。【解決手段】サイドガラスを少し出しておき、回転軸１、外枠２メッシュ４より構成された２枚１対にした日よけ具をガラスにはさみ、日よけ具についた磁石３を引き合わせて下部を固定する。上部はガラス窓縁に差し込んで安定させることにより、日陰と通気の両方を配慮する。【選択図】図１
2005271896.tif 000002
【特許請求の範囲】
【請求項１】
回転軸を使って日よけ具２枚を１対に合わせ、リバーシブル（裏返し）にして使用可能にし、結果左右どちらの窓ガラスでも使えるようにしました。
【請求項２】
窓ガラスに固定させるために、日よけ具２枚に磁石をつけ、間に窓ガラスを挟んだ状態にして下部を固定し、上部は凸部分をもうけ、窓枠、縁の部分凹または、雨よけのバイザー内側に差し込むまた、そえることで、安定させる。２枚の日よけ具を使うことで、効果的に熱を遮断できます。外側の一枚で日差しの熱を遮断し日影を作り、内側一枚は風がよく通るようにします。必然的に２枚の間に空気の流れができます、空気の流れが残りの熱を流してくれ、内側の一枚で通気を確保します、１枚だけの日よけ具よりも効果的であります。
【発明の詳細な説明】
【発明の詳細な説明】
【技術分野】
【０００１】  本発明は夏場や日差しが強い時に自動車のサイドガラスを少し出した状態で取り付けて、暑さ、日差しをしのぐというものであります。
一般的な例として、伸縮性のあるメッシュ素材でその周囲を弾力性のあるもので縁をとり、吸盤を用いて自動車の内側ガラス面に吸着させ固定するといった手法を用いますが、本発明においては、そういった日よけ具を２枚にして使います、２枚の日よけ具の上部を回転性のある部品を使って繋げます、ちょうど蝶々の羽のようなイメージで、開いたり閉じたりでき、かつリバーシブルとして裏返しでき、左右両側の窓にも取り付けできるというものであります。とういのも、２枚の日よけ具の素材を外側と内側で違った素材のメッシュを使います。外側のメッシュは強い日差しに対してその熱を和らげるものを主として用い、内側のメッシュにおいては通気性が良いものとする。内側と外側ではそれぞれ違った役割としたほうが、より快適さが得られ、リバーシブルにすることの意味がここにあります。
また２枚にして使用することで、必然的に２枚の間に空気の流れができます、この空気の流れが日差しによる熱をより遮断し温度を和らげる働きをしてくれます。
２枚の日よけ具には、それぞれに磁石がついており、サイドガラスを真ん中に挟んだまま、磁石を引き寄せて固定します。日よけ具の外枠上部に手を加え凸型に成形します。またそのままガラスをゆっくり上げていき、その凸を車本体のサイドガラスの上部枠凹面（または、最近はサイドガラス上部に雨よけバイザーがついた車が多いのでバイザーの内側に入れてもよい）に差込み固定し、使用します。
２枚のひよけ具に磁石をつけて、ガラスを挟んでいる状態ですから、磁石を引き離せば簡単に窓ガラスの上げ下げができ、車内部の通気加減を調節できるようにもなっています。
本発明は、涼しさを得るための日影をつくり出し、充分な通気性を確保し、窓ガラスの上げ下げも簡単にでき、ひっくり返せば左右どちらの窓ガラスにも使える、より快適な室内環境が提供できるものである。
【背景技術】
【０００２】  従来のものはメッシュの日よけ具を窓ガラス内部に吸盤で吸着させるものや窓ガラスを開けて固定し、通気性を確保できるといった工夫をしたものがあるが、影だけつくり通気性が充分でなかったり、窓にうまく取り付けることができても、窓の上げ下げが困難であった。
【発明が解決しようとする課題】
【０００３】  車社会において、暑苦しい夏や厳しい日差しの中、車を運転される一般ドライバーの方また、特に仕事で長時間車に乗っている運転手の方が経験するわずらわしさ、暑苦しさを本発明により、軽減するものである。
これまでは前述しように、通気性や日影を同時にとり、かつ窓の上下運動がなかなかできないという問題があった。夏の暑さの中、長時間運転することはとても厳しいものであり、身体に疲労が蓄積され、時には熱中症や熱射病になり、窓を閉め切ったままでいれば命の危険性さえ心配されます。
本発明では、そういったわずらわしさのある方に車の窓ガラスに取り付けて、暑さをしのぎ、より快適に運転できるようにしたいと思うのです。
また、前述にあるように、道具として使う際の課題として、どうやって窓付近に取り付けて固定するかということ、取り付けたあとサイドガラスの調節できるようにしなくてはいけないということ、左右の窓どちらにでも使えるようにすることがあげられます。
【課題を解決するための手段】
【０００４】  前述の課題を解決する手段として、日影を確保しながら、換気ができれば横からの日差しをかなり、軽減できると考えました。車の窓を閉め切ってエアコンを強くかけていても通気性がないためか、体感では寒くはなっても、なぜか汗は噴出してきて、非常に不快感を覚えます。
サイドガラスを開けて通気性をよくした上で日影を作ることで、暑さを和らげることができます。メッシュにした日よけ具を開けた窓に取り付けることで、外からの日差しをおさえ、日陰をつくり、風を送り込み、運転手に快適な空間を提供することができます。
取り付け方は磁石を付けた日よけ具２枚を少し出したサイドガラスを真ん中に挟み互いに引き寄せて固定させ、ひよけ具上部をガラス窓の枠凹部分に差し入れて安定させます。２枚の日よけ具で挟む手法を用いるため、窓ガラスの上下運動が容易にできるようになります。より効果的に暑さをしのぐようにするために、２枚の日よけ具それぞれに違った素材のものを用います、陽が当たる外側には強い日光を反射または吸収し内側へ向かう熱を遮断する素材が好ましいため、メッシュ（網目）に使う部分は水分を多く保有し熱を抑える素材か、熱を吸収せず反射し熱を抑える素材がよく、内側のメッシュ（網目）部分には空気抵抗をできるだけ小さくし、わずかな空気の流れでも車内内側に取り込める繊細なものを使う。
形について窓の開口部をなるべく大きい面積を覆いたいので９０度の角を２つもった台形が基本形になります。長方形、正方形、円形、楕円形のように左右対称であれば、日よけ具の向きを変えれば左右どちらの窓にも使用できますが形を非対称につくったとしてもリバーシブル（裏返し）できるように回転軸を２枚の日よけ具の上部に設けることでこれは解決される。
【発明を実施するための最良の形態】
【０００５】  本発明は夏の暑い日差しを和らげる目的で使用する、車のサイドガラスに簡単に取り付け取りはずしが容易に行えるものです。日差しがきつい時にこの日差し具を窓ガラスに装着させ、暑さを和らげることができます。また、入ってくる風か強い時は、磁石を引き離して窓ガラスを上げ下げを調節し、簡単に風量をコントロールすることができます。
【発明の効果】
【０００６】  このようにすれば長時間、車に乗っていても、暑さからくる、だるさや頭がぼーっとする負担が軽減されます。結果、安全運転につながるものと考えています。また、取り付け取り外しや窓ガラスの上げ下げも容易にできるようになります。
【図面の簡単な説明】
【図１】  立体図
【図２】  車の向かって左側のサイドガラスに取り付ける時の正面図
【図３】  真横の図
【図４】  回転させた時の正面図
【図５】  回転させた時の正面図
【図６】  回転させた時の正面図
【符号の説明】
１  回転軸
２  外枠
３  磁石
４  メッシュ（網目）
【図１】
2005271896.tif 000003
【図２】
2005271896.tif 000004
【図３】
2005271896.tif 000005
【図４】
2005271896.tif 000006
【図５】
2005271896.tif 000007
【図６】
2005271896.tif 000008